(57)【特許請求の範囲】
【請求項１】
分割面にＬ１相線とＬ２相線の２本の電力線を挿通させる単一の挿通部を有する一対の分割フェライトコアと、当該一対の分割フェライトコアをそれぞれ収納する一対のコアケース部とを備え、一対のコアケース部は、一の側縁部で電力線の挿通部を開閉自在に連結してあるとともに他の側縁部に２本の電力線を当該挿通部でクランプするためのクランプ手段を有し、一対のコアケース部の少なくとも一方に電力線を吊り上げて当該挿通部に誘導するための吊り上げフック部を有していることを特徴とする異相線間カプラ。
【請求項２】
既設配線されているＬ１相電力線，Ｎ相電力線，Ｌ２相電力線からなる単相三線配線のうち、請求項１記載の異相線間カプラを用いて当該異相線間カプラの吊り上げフック部でＬ２相電力線とＬ１相電力線とが一対になるように吊り上げて、前記挿通部に２本の電力線を誘導しクランプすることを特徴とする異相線間カップリング方法。
【発明の詳細な説明】
【技術分野】
【０００１】
本発明は、単相三線式電力線の異相の２本の電力線を束ね、フェライトコアにより磁束を介して電力線間で電気信号を伝達可能にする異相線間カプラに関する。
【背景技術】
【０００２】
単相三線式１００Ｖ電力線でのＰＬＣ通信（Ｐｏｗｅｒ  Ｌｉｎｅ  Ｃｏｍｍｕｎｉｃａｔｉｏｎ）では、異相間の通信における信号の減衰が問題となっている。
そこで例えば、既存の分電盤内部のＬ１相線とＬ２相線に、図４（ａ）に示すようにコンデンサを接続してＰＬＣ信号を伝達したり、あるいは図４（ｂ）に示すようにトランス結合による信号伝達方法も試みられている。
しかしながら、このようにコンデンサやトランスを分電盤内のＬ１相線、Ｌ２相線に直接接続することは結線行為が伴うから電気工事の無資格者である一般人には出来ない。
また、コンデンサ結合に用いるコンデンサは安全上ＡＣ６００Ｖ以上の耐圧が必要であることから大型になるために、コンデンサやトランスを一般家庭用の狭い分電盤内に取り付けることは困難であった。
特開２００４−２９７２４９号公報には、分割した強磁性体ブロックで２本の電力線を囲み、この強磁性体ブロック同士を接着やバンド結束で結合する技術を開示するが、一般家庭の配電盤内電力線は、図５（ａ）に示すように主幹ノーヒューズブレーカー（ＮＦＢ）４と主幹漏電ブレーカー（ＥＬＢ）５との間の狭いスペース６に重なるように配線してあるのが一般的である。
このため、電力線同士の重なりの最下部にある電力線３を図５（ｂ）に示すように引き上げることで電力線１と電力線３とを束ねて強磁性体ブロック同士を結合する作業は、通常は高所壁面に設置されている分電盤では高所作業になり危険でもある。
【０００３】
【特許文献１】特開２００４−２９７２４９号公報
【発明の開示】
【発明が解決しようとする課題】
【０００４】
本発明は上記技術的課題に鑑みて、異相の２本の電力線をフェライトコアで囲む際の取付け作業性に優れる異相線間カプラ及びそのカップリング方法を提供することを目的とする。
【課題を解決するための手段】
【０００５】
本発明に係る異相線間カプラは、分割面にＬ１相線とＬ２相線の２本の電力線を挿通させる単一の挿通部を有する一対の分割フェライトコアと、当該一対の分割フェライトコアをそれぞれ収納する一対のコアケース部とを備え、一対のコアケース部は、一の側縁部で電力線の挿通部を開閉自在に連結してあるとともに他の側縁部に２本の電力線を当該挿通部でクランプするためのクランプ手段を有し、一対のコアケース部の少なくとも一方に電力線を吊り上げて当該挿通部に誘導するための吊り上げフック部を有していることを特徴とする。
【０００６】
このような異相線間カプラを用いると、既設配線されているＬ１相電力線，Ｎ相電力線，Ｌ２相電力線からなる単相三線配線のうち、請求項１記載の異相線間カプラを用いて当該異相線間カプラの吊り上げフック部でＬ２相電力線とＬ１相電力線とが一対になるように吊り上げて、挿通部に２本の電力線を誘導しクランプすることができるので結線作業がない。
【発明の効果】
【０００７】
本発明に係る異相線間カプラにおいては、吊り上げフック部で簡単に電力線を引っ掛けて引き出してクランプ出来るため、一般人が簡単に分電盤内の電力線に取り付けることができる。
【発明を実施するための最良の形態】
【０００８】
図１は本発明に係る異相線間カプラ１０を示し、図１（ａ）は異相線間カプラ１０を閉じた状態を示し、図１（ｂ）は分割形状に開いた状態を示す。
異相線間カプラ１０は、１対の分割フェライトコア１１と、分割フェライトコア１１を収納する保持ケース２０と、保持ケース２０に連結してある吊り上げフック部３０とを有する。
分割フェライトコア１１は、円柱形の中心軸部分に貫通孔を設けた略円筒形を、中心軸を通って２分割した半割形状としてある。
１対の分割フェライトコア１１は、それぞれを保持ケース２０に収納することで、その分割面１１ｂを合わせる状態に閉じて図１（ａ）に示すように略円筒形に保持したり、図１（ｂ）に示すように分割面１１ｂを開いた状態にできる。
分割フェライトコア１１の分割面１１ｂ側には、分割面１１ｂに沿って抜けるように凹ませた電力線挿通部１１ａをそれぞれ設けてあり、分割面１１ｂ同士を合わせた状態では電力線挿通部１１ａが合わさって貫通孔状になる。
分割フェライトコア１１は、分割面１１ｂ同士を合わせて電力線挿通部１１ａが貫通孔状に合わさる部分に２本の異相の電力線をクランプして、磁性コアとして磁束を介して電力線間の信号伝達を行えるものであればよい。
従って、分割されているものであれば、このような円筒形を２分割した半割形状に限定するものではない。
保持ケース２０は、分割フェライトコア１１をそれぞれ収納するコアケース部２１と、コアケース部２１の一端同士を連結したヒンジ部２２と、クランプ係止部２３と被係止部２４とを設けてある。
ヒンジ部２２は、開閉作用でコアケース部２１の開口部２１ａ同士の間を開閉出来るように軸方向の一方の側縁部２１ｂ同士を連結してある。
クランプ係止部２３と被係止部２４は、それぞれのコアケース部２１のヒンジ部２２とは反対側の側縁部に設けてある。
クランプ係止部２３は穴を設けた爪形で、被係止部２４はクランプ係止部２３の穴を係止させる凸形で、コアケース部２１同士を閉じることでクランプ係止部２３は被係止部２４に係止してコアケース部２１同士を閉じた状態で保持できる。
コアケース部２１は略凹形に形成して、その開口部２１ａ側に分割面１１ｂを向けた状態で分割フェライトコア１１を収納してある。
そして、コアケース部２１において収納した分割フェライトコア１１の電力線挿通部１１ａが抜ける部分にはケーブル挿通凹部２１ｄを設けてある。
異相線間カプラ１０の電力線へのクランプは、先ずクランプ係止部２３の被係止部２４への係止を外して、ヒンジ部２２の開閉作用で保持ケース２０を開いて分割フェライトコア１１の電力線挿通部１１ａ同士の間を開く。
そして、後述するように吊り上げフック部３０を利用して、電力線挿通部１１ａに電力線を側面側から差しいれて、保持ケース２０を閉じてクランプ係止部２３を被係止部２４に係止することで、電力線を電力線挿通部１１ａと、ケーブル挿通凹部２１ｄとを通した状態とする。
吊り上げフック部３０は誘導部３２の先端側に折返し部３１を設けたフック形状で、一方のコアケース部２１の側縁部２１ｂ付近から外向きに延在するようにコアケース部２１の外周面２１ｃに誘導部３２を連結してある。
折返し部３１は、吊り上げフック部３０を連結したコアケース部２１の開口部２１ａ側に折り返したフック形状としてある。
この吊り上げフック部３０は、保持ケース２０と一体や別体の樹脂製としたり、あるいは金属製としてもよく、材質や保持ケース２０との連結方法は限定されない。
【０００９】
図２は、配電盤内のブレーカー４，５間のスペース６において、異相の２本の電力線１，３を異相線間カプラ１０で束ねて、２本の電力線１，３同士の間で磁束を介して電気信号を伝達可能にした状態を示す。
ブレーカー間のスペース６には、漏電検出用の漏電ブレーカー５に一端を接続して、契約電流以上の電流が流れることを防止するために設けてあるノーヒューズブレーカー４に他端を接続した３本の電力線が配線してある。
異相線カプラ１０は３本の電力線の内の中性線（Ｎ相線）ではない電圧側の電力線（Ｌ１相線、Ｌ２相線）同士をクランプしてある。
電力線１，２，３はＡＣ４０Ａ〜６０Ａ用と想定すると単芯の場合には太くて硬く、取り扱いがし難いものである。
このため、狭いブレーカー間のスペース６で重なっている最下部にある電力線３（Ｌ１相線）を、指で引き出しながら取り付け作業することは難しい。
図３は、異相線カプラ１０を用いて最下部の電力線（Ｌ１相線）３を吊り上げて、最上部の電力線（Ｌ２相線）１と束ねてクランプする手順の説明図を示す。
異相線カプラ１０の取付け者は、図３（ａ）に示すように保持ケース２０を開いた状態でコアケース部１１を持ち、吊り上げフック部３０を電力線（Ｌ２相線）３に向けてブレーカー間スペース６に差し込み、最下部にある電力線（Ｌ１相線）３を側方から吊り上げフック部３０の折返し部３１で釣り針状に引っ掛ける。
そして、図３（ｂ）に示すように電力線（Ｌ１相線）３を折返し部３１に引っ掛けた状態で、最上部の電力線（Ｌ２相線）１も側方から重ねるようにして、２本の電力線を１対にした状態で引っ掛けて持ち上げて引き出す。
そして図３（ｃ）に示すように折返し部３１から誘導部３２上をずらすように誘導して２本の電力線１，３を分割フェライトコア１１の電力線挿通部１１ａに移動させて、図３（ｄ）に示すように保持ケース２０を閉じて２本の電力線を束ねた状態で異相線カプラ１０でクランプする。
そして、束ねた２本の電力線１，３は異相線カプラ１０の吊り上げフック部３０を外向きにした状態で異相線カプラ１０とともにブレーカー間スペース６に戻す。
【図面の簡単な説明】
【００１０】
【図１】本発明に係る異相線間カプラを示す。
【図２】２本の電力線を異相線間カプラで束ねた状態を示す。
【図３】異相線間カプラで電力線をクランプする手順の説明図を示す。
【図４】異相の電力線間の従来の信号伝達方法を示す。
【図５】配電盤の電力線の状態を示す。
【符号の説明】
【００１１】
１      電力線（Ｌ２相線）
２      電力線（Ｎ相線）
３      電力線（Ｌ１相線）
４      主幹ノーヒューズブレーカー（ＮＦＢ）
５      主幹漏電ブレーカー（ＥＬＢ）
６      ブレーカー間スペース
１０    異相線間カプラ
１１    分割フェライトコア
１１ａ  電力線挿通部
１１ｂ  分割面
１２    ケーブル挿通孔
２０    保持ケース
２１    コアケース部
２１ａ  開口部
２１ｂ  側縁部
２１ｃ  外周面
２１ｄ  ケーブル挿通凹部
２２    ヒンジ部
２３    クランプ係止部
２４    被係止部
３０    吊り上げフック部
３１    折返し部
３２    誘導部
【図１】
0004627552.tif 000002
【図２】
0004627552.tif 000003
【図３】
0004627552.tif 000004
【図４】
0004627552.tif 000005
【図５】
0004627552.tif 000006